(57)【特許請求の範囲】
【請求項１】
複数のコンテンツを記憶する第１記憶手段と、
前記第１記憶手段が記憶する複数のコンテンツから再生用として選択されるコンテンツ群の情報と、該コンテンツ群を構成する各コンテンツの再生順と、該コンテンツ群の再生開始予定時刻と、該コンテンツ群の再生を終了するタイミングがコンテンツ群の再生途中またはコンテンツ群を構成する特定のコンテンツの再生終了時に設定されたコンテンツ群の終了タイミング情報と、を含むコンテンツ群再生情報の入力を受け付ける入力手段と、
前記入力手段で受け付けた、前記コンテンツ群再生情報を記憶する第２記憶手段と、
前記第２記憶手段から前記コンテンツ群再生情報を読み出し、このコンテンツ群再生情報に対応するコンテンツを前記第１記憶手段から読み出して再生する再生手段と、
を備え、
前記再生手段は、第１のコンテンツ群を構成するコンテンツを再生順に再生し、第２のコンテンツ群の再生開始予定時刻までは、再生順が最後のコンテンツの再生が終了すると、続いて再生順が最初のコンテンツから再生順に再生する処理を繰り返し実行し、
さらに、前記再生手段は、
前記第１のコンテンツ群の再生中に、前記第２のコンテンツ群の再生開始予定時刻になると、該第１のコンテンツ群の終了タイミング情報を確認し、
該第１のコンテンツ群の終了タイミング情報が前記コンテンツ群の再生途中に設定されている場合には、該第１のコンテンツ群の再生を途中で停止して、該第２のコンテンツ群の再生を開始し、
該第１のコンテンツ群の終了タイミング情報が前記特定のコンテンツの再生終了時に設定されている場合には、該第１のコンテンツ群の特定のコンテンツの終了まで再生を続け、該特定のコンテンツの終了後に該第２のコンテンツ群の再生を開始することを特徴とする
コンテンツ編集再生装置。
【請求項２】
前記第１のコンテンツ群を構成する特定のコンテンツは、再生順が最後のコンテンツである、請求項１に記載のコンテンツ編集再生装置。
【請求項３】
前記第１のコンテンツ群を構成する特定のコンテンツは、前記第２のコンテンツ群の再生開始予定時刻に再生中のコンテンツである、請求項１に記載のコンテンツ編集再生装置。
【請求項４】
前記再生手段は、
前記第２のコンテンツ群の再生開始予定時刻において、前記第１のコンテンツ群を再生中で、かつ、該第１のコンテンツ群に未再生のコンテンツが含まれているときには、該未再生のコンテンツをすべて再生後に、前記第２のコンテンツ群の再生を開始する、請求項１乃至３のいずれかに記載のコンテンツ編集再生装置。
【請求項５】
コンピュータに、
第１記憶部が記憶する複数のコンテンツから再生用として選択されるコンテンツ群の情報と、該コンテンツ群を構成する各コンテンツの再生順と、該コンテンツ群の再生開始予定時刻と、該コンテンツ群の再生を終了するタイミングがコンテンツ群の再生途中またはコンテンツ群を構成する特定のコンテンツの再生終了時に設定されたコンテンツ群の終了タイミング情報と、を含むコンテンツ群再生情報の入力を入力部で受け付けて該コンテンツ群再生情報を第２記憶部に記憶させるステップ、
前記第２記憶部から前記コンテンツ群再生情報を読み出して、このコンテンツ群再生情報に対応するコンテンツを前記第１記憶部から読み出して、再生部に読み出したコンテンツを再生するように指示するステップ、
前記再生部が第１のコンテンツ群を構成するコンテンツを再生順に再生し、第２のコンテンツ群の再生開始予定時刻までは、再生順が最後のコンテンツの再生が終了すると、続いて再生順が最初のコンテンツから再生順に再生する処理を繰り返し実行するステップ、
前記再生部が前記第１のコンテンツ群の再生中に、前記第２のコンテンツ群の再生開始予定時刻になると、該第１のコンテンツ群の終了タイミング情報を確認するように指示するステップ、
該第１のコンテンツ群の終了タイミング情報が前記コンテンツ群の再生途中に設定されている場合には、該第１のコンテンツ群の再生を途中で停止して、該第２のコンテンツ群の再生を開始するように前記再生部に指示するステップ、
該第１のコンテンツ群の終了タイミング情報が前記特定のコンテンツの再生終了時に設定されている場合には、該第１のコンテンツ群の特定のコンテンツの終了まで再生を続け、該特定のコンテンツの終了後に該第２のコンテンツ群の再生を開始するように前記再生部に指示するステップ、
を実行させるためのコンテンツ編集再生プログラム。
【発明の詳細な説明】
【技術分野】
【０００１】
本発明は、コンテンツの再生スケジュールを編集し、再生スケジュールに基づいてコンテンツを再生して端末装置に出力するコンテンツ編集再生装置、及びコンテンツ編集再生プログラムに関する。
【背景技術】
【０００２】
近時、液晶ディスプレイのような平面型の表示装置に、静止画や動画などのコンテンツを表示する電子看板（デジタルサイネージ）が店舗や公共施設などに設置されている。例えば、高速道路のサービスエリアやパーキングエリアでは、平面型の表示装置に自然の風景などの動画、道路情報や工事情報などの静止画など複数のコンテンツが連続的に表示される。
【０００３】
従来の電子看板は、上記のように表示装置に複数のコンテンツを表示するために、コンテンツの再生スケジュールが予め編集・設定されており、この再生スケジュールにしたがって複数のコンテンツが表示されていた（例えば、特許文献１参照。）。
【先行技術文献】
【特許文献】
【０００４】
【特許文献１】特開２００５−１１５４４５号公報
【発明の概要】
【発明が解決しようとする課題】
【０００５】
しかしながら、従来の電子看板では、コンテンツにより再生条件が異なっていた。例えば、作成者や広告主の要望により毎回最後まで再生する必要があるコンテンツがあった。一方、複数回再生している場合には、再生を途中で中止してもよいコンテンツもあった。また、コンテンツの再生時間の長さはコンテンツにより様々であった。そのため、スケジュールの作成者は、コンテンツの再生制限、再生時間、コンテンツを再生する順番、組み合わせ、再生回数など、コンテンツの再生条件を熟考して複数のコンテンツの再生スケジュールを作成する必要があり、作業が煩雑であるという問題があった。
【０００６】
そこで、本発明は、コンテンツの再生条件を熟考することなく、コンテンツの再生スケジュールを容易に作成して、コンテンツの再生条件に応じた再生ができるコンテンツ編集再生装置、及びコンテンツ編集再生プログラムを提供することを目的とする。
【課題を解決するための手段】
【０００７】
この発明のコンテンツ編集再生装置は、第１記憶手段と、入力手段と、第２記憶手段と再生手段と、を備えている。
【０００８】
第１記憶手段は、複数のコンテンツを記憶する。入力手段は、第１記憶手段が記憶する複数のコンテンツから再生用として選択されるコンテンツ群の情報と、コンテンツ群を構成する各コンテンツの再生順と、コンテンツ群の再生開始予定時刻と、コンテンツ群の再生を終了するタイミングがコンテンツ群の再生途中またはコンテンツ群を構成する特定のコンテンツの再生終了時に設定されたコンテンツ群の終了タイミング情報と、を含むコンテンツ群再生情報の入力を受け付ける。第２記憶手段は、入力手段で受け付けた、コンテンツ群再生情報を記憶する。再生手段は、第２記憶手段からコンテンツ群再生情報を読み出し、このコンテンツ群再生情報に対応するコンテンツを第１記憶手段から読み出して再生する。また、再生手段は、第１のコンテンツ群の再生中に、第２のコンテンツ群の再生開始予定時刻になると、第１のコンテンツの終了タイミング情報を確認し、
第１のコンテンツ群の終了タイミング情報がコンテンツ群の再生途中に設定されている場合には、第１のコンテンツ群の再生を途中で停止して、第２のコンテンツ群の再生を開始し、
第１のコンテンツ群の終了タイミング情報が特定のコンテンツの再生終了時に設定されている場合には、第１のコンテンツ群の特定のコンテンツの終了まで再生を続け、特定のコンテンツの終了後に第２のコンテンツ群の再生を開始する。
【０００９】
コンテンツ編集再生装置は、コンテンツの終了タイミング情報に応じて、コンテンツ群を構成するコンテンツを再生する。そのため、コンテンツ群の生成時に、最後まで再生する必要のあるコンテンツにより構成されているか、途中で再生を停止してもよいコンテンツにより構成されているか、について考慮するだけでよく、コンテンツの再生条件を熟考して複数のコンテンツの再生スケジュールを作成する必要がなく、コンテンツの再生スケジュールを容易に作成して、再生することができる。
【００１０】
さらに、再生手段は、第１のコンテンツ群を構成するコンテンツを再生順に再生し、第２のコンテンツ群の再生開始予定時刻までは、再生順が最後のコンテンツの再生が終了すると、続いて再生順が最初のコンテンツから再生順に再生する処理を繰り返し実行する。
【００１１】
この構成によれば、コンテンツ群は、次に再生する第２のコンテンツ群の再生開始予定時刻までは、第１のコンテンツ群を繰り返し再生する。したがって、次に再生するコンテンツ群の再生開始予定時刻まで、コンテンツ群の再生が終了することがなく、コンテンツが何も再生されていない状態になるのを防止できる。
【００１２】
上記発明において、第１のコンテンツ群の再生中に、第２のコンテンツ群の再生開始予定時刻になると、第１のコンテンツの終了タイミング情報を確認し、第１のコンテンツ群の終了タイミング情報が、再生順が最後のコンテンツの再生終了時に設定されている場合には、再生順が最後のコンテンツの終了まで再生を続け、再生順が最後のコンテンツの終了後に第２のコンテンツ群の再生を開始する。
【００１３】
この構成によれば、コンテンツ群の終了タイミング情報を、コンテンツ群を構成する再生順が最後のコンテンツの終了時に設定することで、コンテンツ群を最後まで再生できる。これにより、最後まで再生する必要があるコンテンツだけを選択してコンテンツ群を構成しても、問題なく再生することができる。
【００１４】
上記発明において、第１のコンテンツ群の再生中に、第２のコンテンツ群の再生開始予定時刻になると、第１のコンテンツの終了タイミング情報を確認し、第１のコンテンツ群の終了タイミング情報が、第２のコンテンツ群の再生開始予定時刻に再生中のコンテンツの終了時に設定されている場合には、第２のコンテンツ群の再生開始予定時刻に再生中のコンテンツの終了まで再生を続け、このコンテンツの終了後に第２のコンテンツ群の再生を開始する
この構成によれば、コンテンツ群の終了タイミング情報を、第２のコンテンツ群再生開始予定時刻に再生中のコンテンツに設定することで、この再生中のコンテンツの最後まで再生できる。これにより、途中で停止してはいけないコンテンツだけを選択してコンテンツ群を構成しても、問題なく再生することができる。
【００１５】
上記発明において、再生手段は、第１のコンテンツ群の再生開始予定時刻において、第２のコンテンツ群を再生中で、かつ、第２のコンテンツ群に未再生のコンテンツが含まれているときには、未再生のコンテンツをすべて再生後に、第１のコンテンツ群の再生を開始する。
【００１６】
この構成によれば、第２のコンテンツ群の再生開始予定時刻になったときに、第１のコンテンツ群において未再生のコンテンツがある場合には、未再生のコンテンツをすべて再生してから、第２のコンテンツ群のコンテンツを再生する。したがって、未再生のコンテンツが発生することが無いので、コンテンツ群の作成時に、コンテンツ群を構成する各コンテンツの再生時間の長さを考慮することなく、容易にコンテンツ群を生成することができる。
【発明の効果】
【００１７】
本発明によれば、コンテンツの再生条件を熟考することなく、コンテンツの再生スケジュールを容易に作成して、コンテンツの再生条件に応じた再生ができる。
【図面の簡単な説明】
【００１８】
【図１】（Ａ）は、本発明の実施形態に係るコンテンツ編集再生システムの構成を示すブロック図である。（Ｂ）は、コンテンツ編集再生装置の構成を示すブロック図である。
【図２】（Ａ）は、素材登録画面を示す図である。（Ｂ）は、素材削除画面を示す図である。
【図３】（Ａ）は、素材登録処理を説明するためのフローチャートである。（Ｂ）は、素材削除処理を説明するためのフローチャートである。
【図４】テロップ編集画面を示す図である。
【図５】テロップ編集処理を説明するためのフローチャートである。
【図６】（Ａ）は、コンテンツ作成画面を示す図である。（Ｂ）は、コンテンツを再生開始予定時刻で停止する場合を示すタイムチャートである。（Ｃ）は、コンテンツを再生開始予定時刻が経過しても最後まで再生する場合を示すタイムチャートである。
【図７】（Ａ）は、コンテンツ作成処理を説明するためのフローチャートである。（Ｂ）は、テロップ選択処理を説明するためのフローチャートである。
【図８】（Ａ）は、テロップ選択画面を示す図である。（Ｂ）は、スケジュール登録画面を示す図である。
【図９】スケジュール登録処理を説明するためのフローチャートである。
【図１０】（Ａ）は、再生終了のタイミングが異なるコンテンツが混在する場合を示すタイムチャートである。（Ｂ）は、コンテンツの再生開始予定時刻に、再生中の別のコンテンツに未再生の素材がある場合を示すタイムチャートである。（Ｃ）〜（Ｈ）は、有効期限の異なる素材を備えたコンテンツが、時期により再生する素材が異なることを示す図である。
【図１１】（Ａ）は、テロップ付きのコンテンツ再生画面の一例である。（Ｂ）はテロップ無しのコンテンツ再生画面の一例である。
【図１２】（Ａ）は、割り込み編集画面を示す図である。（Ｂ）は、割り込み表示画面を示す図である。
【図１３】（Ａ）は、割り込み編集処理を説明するためのフローチャートである。（Ｂ）は、割り込み表示処理を説明するためのフローチャートである。
【図１４】（Ａ）は、テロップ付きの警告表示画面の一例である。（Ｂ）は、テロップ無しの警告表示画面の一例である。（Ｃ）は、テロップ付きの調整中の表示画面の一例である。（Ｄ）は、テロップ無しの調整中表示画面の一例である。（Ｅ）は、再生スケジュールの予定、（Ｆ）は、警告表示及び調整中表示を行った実際の再生スケジュールである。
【発明を実施するための形態】
【００１９】
本発明では、静止画、動画、アニメーションの少なくともいずれかのコンテンツを複数個含むパッケージ（コンテンツ群）を複数作成する。そして、再生スケジュールの所定時間毎に区切った再生開始予定時刻に、選択したパッケージを割り当てることで、この再生スケジュールにしたがって自動的にパッケージを再生する。以下の説明では、静止画、動画、アニメーションを、コンテンツのパッケージ作成用の「素材」とも称する。また、静止画、動画、アニメーションの少なくともいずれかを複数個含む素材のパッケージを単に「コンテンツ」と称する。
【００２０】
図１（Ａ）に示すように、コンテンツ編集再生システム１は、コンテンツ編集再生装置３と、端末装置であるモニタ１１〜モニタ１８と、端末装置であるスピーカ２１Ｌ，２１Ｒ〜２８Ｌ，２８Ｒと、を備えている。コンテンツ編集再生装置３は、サーバ２と接続可能であり、サーバ２と接続した場合、必要に応じてサーバ２とコンテンツのデータや制御情報を通信することが可能である。サーバ２とコンテンツ編集再生装置３は、例えば、光ファイバ４等により有線で接続してもよい。また、サーバ２にケーブル５を介して携帯電話６などの通信装置を接続し、コンテンツ編集再生装置３にケーブル７を介して携帯電話８（通信装置）を接続して、サーバ２とコンテンツ編集再生装置３を無線で接続してもよい。
【００２１】
コンテンツ編集再生装置３は、８台のモニタ１１〜モニタ１８に映像信号を出力し、８組のスピーカ２１Ｌ，２１Ｒ〜２８Ｌ，２８Ｒに音声信号を出力する。コンテンツ編集再生装置３には、一例として、モニタを６４台まで接続できる。
【００２２】
コンテンツ編集再生装置３は、例えば高速道路のサービスエリア（ＳＡ）やパーキングエリア（ＰＡ）の管理室に設置され、モニタ１１〜モニタ１８及びスピーカ２１Ｌ，２１Ｒ〜２８Ｌ，２８Ｒは、例えば、ＳＡやＰＡのトイレ内に設置された便器の近傍に設置されている。また、サーバ２は、例えば、複数のＳＡやＰＡを総合的に管理する総合管理室に設置されている。サーバ２とコンテンツ編集再生装置３は、ネットワークを介して接続されている。
【００２３】
コンテンツ編集再生装置３と、モニタ１１〜モニタ１８及びスピーカ２１Ｌ，２１Ｒ〜２８Ｌ，２８Ｒと、の接続は、有線でも無線でもよいが、一例としてＨＤＭＩケーブルを介して接続されている。モニタ１１〜モニタ１８とスピーカ２１Ｌ，２１Ｒ〜２８Ｌ，２８Ｒは、一体でも別体でもよいが、図１（Ａ）には別体の場合を示している。
【００２４】
図１（Ｂ）に示すように、コンテンツ編集再生装置３は、通信部３１、入力手段である操作部３２、制御部３３、表示部３４、入力インタフェース（Ｉ／Ｆ）３５、メディア記録再生部３６、記憶部３７、再生部３８、及び出力手段である出力インタフェース（Ｉ／Ｆ）３９を備えている。各部は、バス３０を介して接続されている。記憶部３７は、第１記憶手段である素材記憶部３７１、テロップ記憶部３７２、第２記憶手段であるコンテンツ記憶部３７３及びスケジュール記憶部３７４、並びに割り込み情報記憶部３７５を備えている。
【００２５】
コンテンツ編集再生装置３は、コンピュータにコンテンツ編集再生プログラムを実行させて、上記各部（各手段）として機能させるものである。
【００２６】
操作部３２は、マウスなどのポインティングデバイスや、キーボードなどの入力デバイスを備えており、操作者（オペレータ）の操作により表示部３４に表示した各種ボタンの押下やウィンドウへの入力が行われる。
【００２７】
制御部３３は、現在の年月日及び時刻を計時する時計を内蔵しており、コンテンツ編集再生装置３の各部を制御する。
【００２８】
表示部３４は、後述の素材登録画面やコンテンツ作成画面などの編集画面を表示する。モニタ１１〜モニタ１８は、コンテンツ編集再生装置３が再生、出力するコンテンツや割り込み表示を表示し、表示部３４に表示される編集画面は表示しない。
【００２９】
コンテンツ編集再生装置３は、静止画（一例としてＪＰＥＧファイル）、動画（一例として、ＭＰ４ファイル、ＡＶＩファイル）、アニメーション（一例としてＳＷＦファイル）の３種類の素材を取り扱うことができる。すなわち、再生部３８が再生して、出力インタフェース３９から出力されたコンテンツ（静止画、動画、またはアニメーション）の画像をモニタ１１〜１８に表示させることができる。なお、コンテンツ編集再生装置３が取り扱うことができるファイルは、上記のファイルに限るものではなく、他の種類のファイルも取り扱うことができる。
【００３０】
スピーカ２１Ｌ，２１Ｒ〜２８Ｌ，２８Ｒは、コンテンツ編集再生装置３の再生部３８で再生して、出力インタフェース３９から出力されたコンテンツ（動画またはアニメーション）に含まれる音声を放音する。
【００３１】
メディア記録再生部３６は、ＣＤやＤＶＤなどの光ディスクに記録された素材データ、コンテンツデータ、再生スケジュールなどを光ディスクから読み出したり、光ディスクに記録したりする。
【００３２】
制御部３３は、コンテンツ編集再生装置３に電源が投入されると、自動的にコンテンツ編集再生プログラムを起動する。また、制御部３３は、コンテンツ編集再生プログラムを終了後に、操作部３２により起動操作が行われると、コンテンツ編集再生プログラムを起動する。
【００３３】
コンテンツ編集再生装置３は、主に、コンテンツの編集処理、コンテンツのプレビュー処理、割り込み処理、及びコンテンツの再生（出力）処理を行う。
【００３４】
コンテンツの編集処理は、複数の素材からなるコンテンツを作成して、コンテンツの再生スケジュールを登録するための処理である。具体的には、素材登録処理、素材削除処理、テロップ編集処理、コンテンツ作成処理、及びスケジュール登録処理がある。
【００３５】
コンテンツのプレビュー処理は、登録したコンテンツや作成したコンテンツを再生して内容を確認するための処理である。
【００３６】
割り込み処理は、コンテンツの再生を停止して警告文を表示したり、コンテンツを表示していないときに調整中である旨の文を表示したりするための処理である。具体的には、割り込み編集処理及び割り込み表示処理がある。
【００３７】
コンテンツの再生処理は、作成したコンテンツを再生スケジュールにしたがって再生し、モニタ１１〜１８、及びスピーカ２１Ｌ，２１Ｒ〜２８Ｌ，２８Ｒにコンテンツデータを出力する処理である。
【００３８】
［素材登録処理］
図２（Ａ）に示す素材登録画面４２は、コンテンツを構成する素材（静止画、動画、アニメーション）をコンテンツ編集再生装置３に登録するための画面である。素材登録画面４２には、画面の左端にメニューバー５０が表示される。メニューバー５０には、トップ画面ボタン５１、素材登録ボタン５２、素材削除ボタン５３、コンテンツ作成ボタン５４、テロップ編集ボタン５５、プレビューボタン５６、スケジュール登録ボタン５７、割り込み表示ボタン５８、割り込み編集ボタン５９、及び終了ボタン６０が表示される。制御部３３は、操作部３２が操作されて、これらいずれかのボタンが押下されると、そのボタンに対応する画面を表示部３４に表示する。
【００３９】
ここで、表示部３４に表示された画面において「ボタンが押下されたり、ファイルが選択されたりする」のは、操作者により操作部３２が操作された結果である。そのため、以下の説明では、特に説明が必要なときを除き、「ボタンが押下されたり、ファイルが選択されたりする」等の操作を記載する際に「ユーザにより操作部３２が操作される」ことについての記載は省略する。
【００４０】
素材登録画面４２には、メニューバー５０の他に、素材の種類を選択する素材選択ボタン４２２（静止画ボタン４２２Ａ、動画ボタン４２２Ｂ、及びアニメーションボタン４２２Ｃ）、素材が格納されているフォルダを指定するためのウィンドウ４２１、取り込み対象の素材を選択するウィンドウ４２３、取り込みボタン４２４、取り込み済みの素材を表示するウィンドウ４２５、有効期限開始日の入力ウィンドウ４２６Ａ、有効期限終了日の入力ウィンドウ４２６Ｂ、素材の登録ボタン４２７、及び素材のプレビューウィンドウ４２８が表示される。
【００４１】
図３（Ａ）に示すように、制御部３３は、素材登録画面４２のウィンドウ４２１において素材が格納されているフォルダが指定されるまで待機している（Ｓ２０：Ｎ）。指定するフォルダは、例えばメディア記録再生部３６に収納され、素材が記録されたＣＤやＤＶＤのドライブや、予め素材が格納されているハードディスク内（素材記憶部３７１）のフォルダ等である。制御部３３は、素材が格納されているフォルダが指定されると（Ｓ２０：Ｙ）、素材選択ボタン４２２（静止画ボタン４２２Ａ、動画ボタン４２２Ｂ、またはアニメーションボタン４２２Ｃ）が押下されるまで待機する（Ｓ２１：Ｎ）。制御部３３は、素材選択ボタン４２２が押下されると（Ｓ２１：Ｙ）、押下されたボタンに対応する素材（未取り込みの素材）のファイル名を、指定されたフォルダから読み出してウィンドウ４２３に表示する。また、制御部３３は、取り込み済みの素材のファイル名をウィンドウ４２５に表示する（Ｓ２２）。すなわち、制御部３３は、押下された素材選択ボタン４２２が、静止画ボタン４２２Ａのときには静止画のファイル名、動画ボタン４２２Ｂのときには動画のファイル名、アニメーションボタン４２２Ｃのときにはアニメーションのファイル名を表示する。
【００４２】
制御部３３は、ウィンドウ４２３において未取り込みの素材ファイルが選択されるか、ウィンドウ４２５において取り込み済みの素材ファイルが選択されるまで、待機している（Ｓ２３：Ｎ、Ｓ２６：Ｎ）。制御部３３は、ウィンドウ４２３において任意の未取り込みの素材ファイルが選択されると（Ｓ２３：Ｙ）、取り込みボタン４２４が押下されるまで待機する（Ｓ２４：Ｎ）。制御部３３は、取り込みボタン４２４が押下されると（Ｓ２４：Ｙ）、その素材ファイルを第１記憶手段である素材記憶部３７１に記憶させ、ウィンドウ４２５に表示している素材ファイルのリストを更新する（Ｓ２５）。
【００４３】
制御部３３は、ウィンドウ４２５において任意の取り込み済みの素材ファイルが選択されると（Ｓ２６：Ｙ）、選択されたファイルの内容をプレビューウィンドウ４２８に表示する（Ｓ２７、Ｓ２８：Ｎ）。
【００４４】
制御部３３は、ウィンドウ４２５において取り込み済みの複数のファイルからいずれかが選択された状態で、入力ウィンドウ４２６Ａと入力ウィンドウ４２６Ｂ（期限設定手段）の少なくとも一方にファイルの有効期限の日付が入力されてから、登録ボタン４２７が押下されると（Ｓ２８：Ｙ）、選択された素材ファイルの有効期限情報を素材記憶部３７１に記憶させる（Ｓ２９）。コンテンツ編集再生装置３は、後述するように、素材に有効期限が設定された場合、有効期限内だけ素材を再生する。有効期限は、必要な素材ファイルについてのみ設定すればよい。
【００４５】
制御部３３は、メニューバー５０の、素材登録ボタン５２以外の他のボタンが押下されなければ（Ｓ３０：Ｎ）、ステップＳ２０以降の処理を再度行い、素材記憶部３７１に複数の素材を記憶させる。また、制御部３３は、メニューバー５０の、素材登録ボタン５２以外の他のボタンが押下されると（Ｓ３０：Ｙ）、素材登録処理を終了する。
【００４６】
このように、コンテンツ編集再生装置３では、素材を取り込む際に、素材を種類毎に表示させることができ、また、未取り込みの素材及び取り込み済みの素材が選択されると、その内容がプレビューウィンドウに自動的に表示される。したがって、素材の選択を迷うことがなく、素材を容易に取り込むことができる。また、コンテンツ編集再生装置３では、取り込んだ素材に有効期限を設定できるので、後述するようにコンテンツの作成時に詳細な再生スケジュールの設定が不要である。
【００４７】
［素材削除処理］
図２（Ｂ）に示す素材削除画面４３は、素材登録画面４２によりコンテンツ編集再生装置３に登録した素材（静止画、動画、アニメーション）を削除するための画面である。素材削除画面４３には、画面の左端にメニューバー５０が表示される。また、素材削除画面４３には、素材の種類を選択するファイル形式選択ボタン４３１（静止画ボタン４３１Ａ、動画ボタン４３１Ｂ、アニメーションボタン４３１Ｃ）、コンテンツのプレビューウィンドウ４３２、有効期限内のコンテンツ及び有効期限が設定されていないコンテンツのファイル名を表示するウィンドウ４３３、ウィンドウ４３３において選択されたファイルを削除する削除ボタン４３４、有効期限が過ぎたコンテンツのファイル名を表示するウィンドウ４３５、及びウィンドウ４３５において選択されたファイルを削除する削除ボタン４３６が表示される。
【００４８】
図３（Ｂ）に示すように、制御部３３は、素材削除画面４３のファイル形式選択ボタン４３１（静止画ボタン４３１Ａ、動画ボタン４３１Ｂ、またはアニメーションボタン４３１Ｃ）が押下されるまで待機している（Ｓ３１：Ｎ）。制御部３３は、ファイル形式選択ボタン４３１が押下されると（Ｓ３１：Ｙ）、押下されたボタンに対応する素材ファイルであって、有効期限内の素材ファイル及び有効期限と、有効期限が設定されていない素材ファイルの名前と、をウィンドウ４３３に表示する。また、押下されたボタンに対応する素材ファイルであって、有効期限が過ぎた素材ファイルの名前と有効期限をウィンドウ４３５に表示する（Ｓ３２、Ｓ３３：Ｎ）。例えば、静止画ボタン４３１Ａが押下されたときには、静止画のファイル名をウィンドウ４３３及びウィンドウ４３５に表示する。
【００４９】
制御部３３は、ウィンドウ４３３またはウィンドウ４３５に表示されたファイル名が選択されると（Ｓ３３：Ｙ）、プレビューウィンドウ４３２に選択された素材の内容を表示する（Ｓ３４、Ｓ３５：Ｎ）。
【００５０】
制御部３３は、素材が選択されてデータ削除ボタン４３４または期限切れ削除ボタン４３６が押下されると（Ｓ３５：Ｙ）、対応する素材ファイルを素材記憶部３７１から削除する（Ｓ３６）。
【００５１】
制御部３３は、メニューバー５０の、素材削除ボタン５３以外の他のボタンが押下されなければ（Ｓ３７：Ｎ）、ステップＳ３１以降の処理を再度行う。また、制御部３３は、メニューバー５０の、素材削除ボタン５３以外の他のボタンが押下されると（Ｓ３７：Ｙ）、素材削除処理を終了する。
【００５２】
このように、コンテンツ編集再生装置３では、素材を削除する際に、素材を種類毎に表示させることができ、また、素材が選択されると、その内容がプレビューウィンドウに自動的に表示される。したがって、素材の選択を迷うことがなく、素材を容易に削除できる。また、コンテンツ編集再生装置３では、素材を削除する際に、有効期限が過ぎた素材と、それ以外の素材と、を分けて表示し、しかも有効期限も表示する。したがって、有効期限を過ぎた素材を一括して削除したり、有効期限を確認しながら素材を削除したりすることができ、素材を容易に削除できる。
【００５３】
［テロップ編集処理］
図４に示すテロップ編集画面４４は、コンテンツまたは緊急表示を表示したときに、同時に表示するテロップを編集（作成、上書き、変更、または削除）するための画面である。コンテンツ編集再生装置３がモニタ１１〜１８に表示するテロップには２種類ある。すなわち、静止画、動画、またはアニメーションとともに表示する標準テロップと、緊急用の割り込み表示とともに表示する緊急テロップである。
【００５４】
テロップ編集画面４４には、画面の左端にメニューバー５０が表示される。また、テロップ編集画面４４には、編集するテロップの種類を選択する選択ボタン４４１（標準テロップ入力ボタン４４１Ａ及び緊急テロップ入力ボタン４４１Ｂ）、選択されたテロップの種類を表示する種類表示ウィンドウ４４２、テロップ入力ウィンドウ４４３（テロップ入力ウィンドウ４４３Ａ〜テロップ入力ウィンドウ４４３Ｊ）、ページ戻りボタン４４４Ａ、ページ進みボタン４４４Ｂ、及び登録ボタン４４５が表示される。
【００５５】
標準テロップは、通常時に再生するコンテンツとともに表示するテロップである。緊急テロップは、緊急時に、通常時に再生するコンテンツに割り込みを行って表示する警告表示や調整中表示とともに表示するテロップである。
【００５６】
コンテンツ編集再生装置３では、テロップの再生時には、登録内容を右側から左側に移動させて、１行分のテロップ文を表示する。そのため、テロップ入力ウィンドウ４４３は、テロップ文の表示状態をイメージできるよう、１行分のテロップ文を表示する枠サイズに調整されている。
【００５７】
図５に示すように、制御部３３は、テロップ編集画面４４の選択ボタン４４１（標準テロップ入力ボタン４４１Ａまたは緊急テロップ入力ボタン４４１Ｂ）が押下されるまで待機している（Ｓ４１：Ｎ）。制御部３３は、選択ボタン４４１が押下されると（Ｓ４１：Ｙ）、押下された選択ボタン４４１に応じたテロップの種類を種類表示ウィンドウ４４２に表示し、登録済みのテロップをテロップ記憶部３７２から読み出して、テロップ入力ウィンドウ４４３に表示する（Ｓ４２）。すなわち、制御部３３は、押下された選択ボタン４４１が、標準テロップ入力ボタン４４１Ａのときには標準テロップ、緊急テロップ入力ボタン４４１Ｂのときには緊急テロップを種類表示ウィンドウ４４２とテロップ入力ウィンドウ４４３に表示する。
【００５８】
制御部３３は、標準テロップ及び緊急テロップをページ単位で記憶している。制御部３３は、ページ戻りボタン４４４Ａまたはページ進みボタン４４４Ｂが押下された場合には（Ｓ４３：Ｙ）、前のページまたは次のページに登録されているテロップをテロップ入力ウィンドウ４４３にそれぞれ表示する（Ｓ４４）。
【００５９】
制御部３３は、テロップが編集されるまで、登録済みのテロップをテロップ入力ウィンドウ４４３に表示した状態で待機している（ステップＳ４２、ステップＳ４３：Ｎ、ステップＳ４５：Ｎ、ステップＳ４６：Ｎ）。
【００６０】
制御部３３は、テロップ入力ウィンドウ４３３のいずれかにおいて、テロップの入力（Ｓ４５：Ｎ）や、テロップの編集または削除（Ｓ４６：Ｎ）が行われるまで、ステップＳ４２〜Ｓ４６の処理を繰り返す。制御部３３は、テロップが入力されるか（Ｓ４５：Ｙ）、テロップが編集または削除されると（Ｓ４５：Ｎ、Ｓ４６：Ｙ）、登録ボタン４４５が押下されるまで待機している（Ｓ４７：Ｎ）。制御部３３は、登録ボタン４４５が押下されると（Ｓ４７：Ｙ）、新たなテロップをテロップ記憶部３７２に記憶するか、またはテロップ記憶部３７２から対応するテロップを削除する（Ｓ４８）。テロップの編集方法は、空欄のテロップ入力ウィンドウ４３３に新たなテロップの文字を入力する方法、既にテロップが入力されているテロップ入力ウィンドウ４４３に新たなテロップを上書きする方法、既にテロップが入力されているテロップ入力ウィンドウ４４３のテロップの内容を変更する方法、既にテロップが入力されているテロップ入力ウィンドウ４４３のテロップを削除する方法、のいずれかである。
【００６１】
制御部３３は、メニューバー５０の、テロップ編集ボタン５５以外の他のボタンが押下されなければ（Ｓ４９：Ｎ）、ステップＳ４１以降の処理を再度行う。また、制御部３３は、メニューバー５０の、テロップ編集ボタン５５以外の他のボタンが押下されると（Ｓ４９：Ｙ）、テロップ選択処理を終了する。
【００６２】
このように、コンテンツ編集再生装置３では、テロップを編集するときに、テロップの種類毎に編集できるので、テロップの編集が容易であり、複数のテロップの作成や登録を一度に行うことができる。また、テロップ入力ウィンドウ４４３が、１行分のテロップ文を表示するように枠のサイズが調整されている。これにより、テロップ文の表示状態を、テロップの編集時に容易にイメージできる。
【００６３】
［コンテンツ作成処理］
図６（Ａ）に示すコンテンツ作成画面４５は、登録した素材（静止画、動画、アニメーション）を選択してコンテンツを作成するための画面である。コンテンツ作成画面４５には、画面の左端にメニューバー５０が表示される。また、コンテンツ作成画面４５には、プレビューウィンドウ４５１、ファイル名入力ウィンドウ４５２Ａ、登録ボタン４５２Ｂ、プレビューボタン４５２Ｃ、テロップ選択ボタン４５３Ａ、テロップ選択／未選択表示部４５３Ｂ、素材の種類を選択する素材選択ボタン４５４（静止画ボタン４５４Ａ、動画ボタン４５４Ｂ、及びアニメーションボタン４５４Ｃ）、素材リストウィンドウ４５５、有効期限表示部４５５Ａ、ページ戻りボタン４５６Ａ、ページ進みボタン４５６Ｂ、コンテンツウィンドウ４５７Ａ、ページ戻りボタン４５７Ｂ、ページ進みボタン４５７Ｃ、クリアボタン４５７Ｄ、静止画の詳細設定ウィンドウ４５８、コンテンツの終了タイミング設定ウィンドウ４５９が表示される。
【００６４】
図７（Ａ）に示すように、制御部３３は、コンテンツ作成画面４５の素材選択ボタン４５４（静止画ボタン４５４Ａ、動画ボタン４５４Ｂ、またはアニメーションボタン４５４Ｃ）が押下されるまで待機している（Ｓ５１：Ｎ）。制御部３３は、素材選択ボタン４５４が押下されると（Ｓ５１：Ｙ）、押下されたボタンに対応する素材の一覧を素材リストウィンドウ４５５に表示する（Ｓ５２）。すなわち、制御部３３は、押下された素材選択ボタン４５４が、静止画ボタン４５４Ａのときには静止画、動画ボタン４５４Ｂのときには動画、アニメーションボタン４５４Ｃのときにはアニメーション、のファイルを表示する。制御部３３は、素材リストウィンドウ４５５に、各素材のファイル名とサムネイルを表示する。また、本発明では、素材の再生時間を気にすることなく、コンテンツを作成できるので、各素材の再生時間は表示していない。
【００６５】
制御部３３は、ページ単位で素材ファイルを記憶しており、ページ戻りボタン４５６Ａまたはページ進みボタン４５６Ｂが押下されると（Ｓ５３：Ｙ）、素材リストウィンドウ４５５に表示する複数の素材ファイルを、前のページまたは次のページの素材ファイルに切り換える（Ｓ５４）。
【００６６】
制御部３３は、素材リストウィンドウ４５５に表示される素材ファイルが選択された際に、そのコンテンツに有効期限が設定されていると、素材リストウィンドウ４５５の右上端部の有効期限表示部４５５Ａに有効期限を表示する。
【００６７】
制御部３３は、ページ戻りボタン４５６Ａ、またはページ進みボタン４５６Ｂが押下されなかった場合（Ｓ５３：Ｎ）、または異なるページの素材ファイルに切り換え後に（Ｓ５４）、操作部３２により、素材リストウィンドウ４５５に表示される素材ファイルが選択されて、プレビューボタン４５２Ｃが押下されると（Ｓ５５：Ｙ）、選択されたファイルの内容をプレビューウィンドウ４５１に表示する（Ｓ５６）。
【００６８】
コンテンツウィンドウ４５７Ａには、複数の枠が設定されている。制御部３３は、プレビューボタン４５２Ｃが押下されなかった場合（Ｓ５５：Ｎ）、または選択されたファイルの内容をプレビューウィンドウ４５１に表示後に（Ｓ５６）、素材ファイルが選択されて、コンテンツウィンドウ４５７Ａの枠にはめ込まれる（割り当てられる）まで（Ｓ５７：Ｎ）、ステップＳ５２〜ステップＳ５７の処理を繰り返す。制御部３３は、図６（Ａ）に矢印Ａで示すように、ドラッグアンドドロップにより、素材リストウィンドウ４５５に表示された複数の素材ファイルから任意の素材ファイルが再生用として選択されて、コンテンツウィンドウ４５７Ａの枠にはめ込まれる（割り当てられる）と（Ｓ５７：Ｙ）、その枠に、選択された素材のファイル名とサムネイルを表示する（Ｓ５８）。なお、コンテンツウィンドウ４５７Ａにはめ込まれた素材ファイルの枠は、自動的に左側にスライドして、図６（Ａ）における左側に素材ファイルが集まった状態になる。素材ファイルの枠間に別の素材ファイルを挿入する場合は、選択した素材ファイルを、素材ファイルの枠間にドラッグアンドドロップすればよい。後述するように、コンテンツを構成する各素材の情報や素材の再生順の情報は、コンテンツ記憶部３７３に記憶される。
【００６９】
なお、制御部３３は、ページ戻りボタン４５７Ｂまたはページ進みボタン４５７Ｃが押下されると、コンテンツウィンドウ４５７Ａの枠を、前のページまたは次のページの枠に切り換える。また、制御部３３は、コンテンツウィンドウ４５７Ａの枠が選択されて、クリアボタン４５７Ｄが押下されると、その枠にはめ込まれている（割り当てられている）コンテンツを削除する。
【００７０】
制御部３３は、コンテンツの再生時には、コンテンツを構成する各素材の再生順の情報に基づいてコンテンツウィンドウ４５７Ａの一番左端の枠から右方向へ順番に素材を再生部３８に再生させる。動画及びアニメーションは、再生時間が予め決まっているが、静止画は、再生時間の設定が必要である。そのため、コンテンツ編集再生装置３では、静止画の表示時間を一括して設定できるように、コンテンツ作成画面４５に静止画の詳細設定ウィンドウ４５８に表示時間ウィンドウ４５８Ａ（再生時間設定手段）が設けられている。なお、作成するコンテンツに静止画が含まれていない場合には、表示時間ウィンドウ４５８Ａの設定は不要である。
【００７１】
制御部３３は、静止画の詳細設定ウィンドウ４５８の表示時間ウィンドウ４５８Ａに表示時間（例えば１０秒）が入力されると（Ｓ５９：Ｙ）、各静止画の表示時間としてコンテンツ記憶部３７３に記憶させる（Ｓ６０）。これにより、制御部３３は、コンテンツの再生時には、コンテンツに含まれる各静止画を、この入力された表示時間分（例えば１０秒間）再生する。制御部３３は、静止画の詳細設定ウィンドウ４５８の表示時間ウィンドウ４５８Ａに表示時間が入力されなかった場合には（Ｓ５９：Ｎ）、各静止画の表示時間をデフォルト値（例えば、３秒）に設定する。
【００７２】
コンテンツ編集再生装置３では、詳細は後述するが、図８に示すように、コンテンツの再生スケジュールとして、コンテンツ（コンテンツ群）の再生開始予定時刻が毎時０分に設定されており、各再生開始予定時刻に１つのコンテンツを割り当てて再生することが可能である。なお、コンテンツ編集再生装置３では、コンテンツの再生開始予定時刻を任意の値に変更することが可能であり、取り扱う素材の再生時間の長さに応じて、コンテンツの再生開始予定時刻を設定するとよい。上記のように、コンテンツの再生開始予定時刻を毎時０分（１時間毎）に設定する場合には、素材としては、再生時間が１分〜５分程度、長くても１０分程度のものを用いるとよい。このときには、コンテンツが５個〜２０個程度の素材を選択してコンテンツを作成するとよい。
【００７３】
なお、以下では、説明を簡略化するために、数個乃至５個程度の再生時間の長い素材で構成したコンテンツを用いた例を示している。
【００７４】
コンテンツ編集再生装置３では、後述のように、スケジュールに従ってコンテンツを再生するが、次に再生するコンテンツ群の再生開始予定時刻までは、コンテンツ群を構成するコンテンツを再生順に再生し、再生順が最後のコンテンツの再生が終了すると、続いて再生順が最初のコンテンツから再生順に再生させる処理を繰り返し実行する。つまり、コンテンツ編集再生装置３は、コンテンツの再生時間に応じて、再生部３８でコンテンツを１回〜複数回再生する。
【００７５】
コンテンツ編集再生装置３では、終了タイミング設定ウィンドウ４５９において、コンテンツの再生終了のタイミングを設定できる。終了タイミング設定ウィンドウ４５９においては、一例として、時間帯変更時（１時間再生）、コンテンツ終了時（一時間超過再生）、または最終コンテンツ終了時を選択可能である。図６（Ｂ）〜図６（Ｄ）には、コンテンツＡに続いてコンテンツＢを再生する例を示している。
【００７６】
コンテンツＡは、動画である素材１〜素材５により構成されている。コンテンツＢは、動画である素材６〜素材１０により構成されている。
【００７７】
制御部３３は、コンテンツの再生終了のタイミングとして時間帯変更時（コンテンツ群の再生途中）が選択された場合には、次に再生するコンテンツの再生開始予定時刻までコンテンツ（第１のコンテンツ群）を、その再生時間に応じて再生部３８に１回または複数回再生させる。そして、次のコンテンツ（第２のコンテンツ群）の再生開始予定時間になると、その時点でコンテンツの再生を停止させる。例えば、図６（Ｂ）に示すように、コンテンツＡの再生時間が２５分で、３回再生すると１時間１５分になる場合、制御部３３は、再生部３８に８時０分から再生させて３回目の素材２の再生途中である９時０分直前に停止させる。そして、９時０分からコンテンツＢを再生させる。
【００７８】
また、制御部３３は、終了タイミング設定ウィンドウ４５９において、コンテンツの再生終了のタイミングとしてコンテンツ終了時（第２のコンテンツ群の再生開始予定時刻に再生中のコンテンツの再生終了時）が選択された場合には、次に再生するコンテンツの再生開始予定時刻までコンテンツ（第１のコンテンツ群）を、再生部３８に１回または複数回再生させる。そして、次のコンテンツ（第２のコンテンツ群）の再生開始予定時間になると、コンテンツの再生開始予定時間に再生していた素材（特定のコンテンツ）を終了まで再生させる。例えば、図６（Ｃ）に示すように、８時からコンテンツＡを再生した場合、コンテンツＢの再生開始予定時刻である９時には、コンテンツＡの素材２を再生中である。この場合、コンテンツＢの再生開始予定時刻である９時を超過するが、素材２を最後まで再生させて、コンテンツＡの再生を停止する。そして、コンテンツＢの再生を開始させる。
【００７９】
また、制御部３３は、操作部３２により、終了タイミング設定ウィンドウ４５９において、コンテンツの再生終了のタイミングとして最終コンテンツ終了時（再生順が最後のコンテンツの再生終了時）が選択された場合には、次に再生するコンテンツの再生開始予定時刻までコンテンツ（第１のコンテンツ群）を、再生部３８に１回または複数回再生させる。そして、次のコンテンツ（第２のコンテンツ群）の再生開始予定時間になると、コンテンツの再生順が最後の素材（特定のコンテンツ）まで再生させる。例えば、図６（Ｄ）に示すように、８時からコンテンツＡを再生した場合、コンテンツＢの再生開始予定時刻である９時には、コンテンツＡの素材２を再生中である。この場合、コンテンツＢの再生開始予定時刻である９時を超過するが、素材２〜素材５まで（コンテンツＡの最後まで）再生させて、続いてコンテンツＢの再生を開始させる。
【００８０】
コンテンツ編集再生装置３では、コンテンツの再生終了タイミングの設定をコンテンツ毎に設定できる。そのため、後述するように、コンテンツの再生スケジュールの作成時に、コンテンツの再生終了タイミングの設定を毎回行わなくてもよくなり、スケジュールの作成者の負荷を軽減できる
なお、コンテンツ編集再生装置３では、終了タイミング設定ウィンドウ４５９において、上記３つの終了タイミング以外のものを選択できるように設定可能である。例えば、コンテンツの再生開始予定時刻に別のコンテンツの素材を再生中の場合、再生中の素材の２つ後の素材まで再生して終了する設定や、再生中の素材に続いて再生順が最後の素材を再生して終了する設定などを選択可能にすることができる。また、ユーザにより任意のタイミングでコンテンツを終了するように設定することも可能である。
【００８１】
制御部３３は、終了タイミング設定ウィンドウ４５９において設定（変更）されている内容に応じた情報（コンテンツの終了タイミング情報）を確認して、コンテンツ記憶部３７３に記憶させる（Ｓ６１）。すなわち、コンテンツの終了タイミングがコンテンツ終了時に設定された場合には、この情報をコンテンツ記憶部３７３に記憶させる。また、制御部３３は、コンテンツの終了タイミングが時間帯変更時または最終コンテンツ終了時に設定された場合には、その設定された情報をコンテンツ記憶部３７３に記憶させる。
【００８２】
なお、終了タイミング設定ウィンドウ４５９のデフォルト値はコンテンツ終了時に設定されており、コンテンツの終了タイミングがコンテンツ終了時でよい場合には、変更は不要である。
【００８３】
作成するコンテンツにテロップを表示させる場合には、テロップ選択ボタン４５３Ａを押下して、表示させるテロップを選択するとよい。コンテンツに対してテロップを選択しているか否かはテロップ選択／未選択表示部４５３Ｂに表示されるので、それを確認するとよい。
【００８４】
制御部３３は、操作部３２により、テロップ選択ボタン４５３Ａが押下されると（Ｓ６２：Ｙ）、図８（Ａ）に示すテロップ選択画面４６を表示部３４に表示して（Ｓ６３）、テロップ選択処理を行う（Ｓ６４）。一方、制御部３３は、テロップ選択ボタン４５３Ａが押下されなければ（Ｓ６２：Ｎ）、ステップＳ６３、Ｓ６４の処理（テロップ選択処理）を行わずに、後述のステップＳ６５の処理を実行する（Ｓ６４）
テロップ選択画面４６には、表示テロップ一覧ウィンドウ４６１、順位繰り上げボタン４６２Ａ、順位繰り下げボタン４６２Ｂ、フレーム選択ウィンドウ４６３Ａ、フレーム枠４６３Ｂ、テロップ選択ウィンドウ４６４（テロップ選択ウィンドウ４６４Ａ〜テロップ選択ウィンドウ４６４Ｊ）、チェックウィンドウ４６５（チェックウィンドウ４６５Ａ〜チェックウィンドウ４６５Ｊ）、ページ戻りボタン４６６Ａ、ページ進みボタン４６６Ｂ、ＯＫボタン４６７、及びキャンセルボタン４６８が表示される。
【００８５】
制御部３３は、ステップＳ６１において、テロップ記憶部３７２から標準テロップを読み出して、テロップ選択ウィンドウ４６４に表示している。
【００８６】
図８（Ａ）に示すように、制御部３３は、テロップ選択画面４６のページ戻りボタン４６６Ａまたはページ進みボタン４６６Ｂ、キャンセルボタン４６８、またはＯＫボタン４６７の押下、もしくはテロップの選択が行われるまで、待機している（Ｓ７１：Ｎ、Ｓ７３：Ｎ、Ｓ７７：Ｎ、Ｓ７８：Ｎ）。
【００８７】
制御部３３は、ページ戻りボタン４６６Ａまたはページ進みボタン４６６Ｂが押下されると（Ｓ７１：Ｙ）、前のページまたは次のページに登録されているテロップをテロップ選択ウィンドウ４６４に表示する（Ｓ７２）。
【００８８】
制御部３３は、チェックウィンドウ４６５のいずれかがチェックされて、テロップ選択ウィンドウ４６４のいずれかが選択されると（Ｓ７３：Ｙ）、表示テロップ一覧ウィンドウ４６１に選択されたテロップの一覧を表示する（Ｓ７４）。制御部３３は、表示テロップ一覧ウィンドウ４６１に表示するいずれかのテロップが選択されてから、テロップの順位繰り上げボタン４６２Ａまたは順位繰り下げボタン４６２Ｂが押下されると（Ｓ７５：Ｙ）、そのテロップの表示順位を変更する（Ｓ７６）。制御部３３は、テロップの表示順位の変更がなければ（Ｓ７５：Ｎ）、ステップＳ７７の処理を行う。
【００８９】
制御部３３は、キャンセルボタン４６８が押下されると（Ｓ７７：Ｙ）、テロップが選択されていても、テロップ記憶部３７２にテロップを記憶させずに、テロップ選択画面４６からコンテンツ作成画面４５に表示部３４の表示を切り換えて（Ｓ８０）、テロップ選択処理を終了する。
【００９０】
制御部３３は、キャンセルボタン４６８が押下されずに（Ｓ７７：Ｎ）、ＯＫボタン４６７が押下されると（Ｓ７８：Ｙ）、表示テロップ一覧ウィンドウ４６１に表示された各テロップと表示順を、再生するコンテンツと関連付けて、テロップ記憶部３７２に記憶させる（Ｓ７９）。また、制御部３３は、テロップ選択画面４６からコンテンツ作成画面４５に表示部３４の表示を切り換えて（Ｓ８０）、テロップ選択処理を終了する（Ｓ６４）。
【００９１】
制御部３３は、別の素材選択ボタン４５４が押下された場合（Ｓ６５：Ｙ）、または別の素材選択ボタン４５４が押下されず（Ｓ６５：Ｎ）、コンテンツの名前の入力や登録ボタン４５２Ｂの押下がない場合には（Ｓ６６：Ｎ）ステップＳ５２以降の処理を行う。
【００９２】
制御部３３は、別の素材選択ボタン４５４が押下されずに（Ｓ６５：Ｎ）、コンテンツウィンドウ４５７Ａの枠にコンテンツがはめ込まれている状態で、ファイル名入力ウィンドウ４５２Ａにコンテンツの名前が入力されて、登録ボタン４５２Ｂが押下されると（Ｓ６６：Ｙ）、第２記憶手段であるコンテンツ記憶部３７３にコンテンツを構成する素材の情報やコンテンツを構成する各素材の再生順の情報やコンテンツの終了タイミングの情報や静止画の表示時間の情報や一緒に表示するテロップの情報など（コンテンツ群再生情報）を関連付けて記憶させる（Ｓ６７）。
【００９３】
制御部３３は、メニューバー５０のコンテンツ作成ボタン５４以外のボタンが押下されなければ（Ｓ６８：Ｎ）、ステップＳ５２以降の処理を行い、コンテンツ記憶部３７３に複数のコンテンツを記憶させる。また、制御部３３は、メニューバー５０のコンテンツ作成ボタン５４以外のボタンが押下されると（Ｓ６８：Ｙ）、コンテンツ作成処理を終了する。
【００９４】
このように、コンテンツ編集再生装置３では、コンテンツを作成する際に、素材を種類毎に表示させることができ、また、未取り込みの素材及び取り込み済みの素材が選択されると、その内容がプレビューウィンドウに自動的に表示される。したがって、素材の選択を迷うことがなく、素材を容易に取り込むことができる。また、コンテンツ編集再生装置３では、素材ファイルをコンテンツの枠にはめ込むだけでコンテンツが作成できるので、コンテンツの作成が容易である。また、コンテンツに含まれる各静止画の表示時間を一括して設定できるので、静止画の表示時間を個別に設定する必要がなく、再生時間の設定が容易である。
【００９５】
また、コンテンツの終了タイミングをコンテンツ毎に設定でき、コンテンツを好みのタイミングに終了させることができる。
【００９６】
また、コンテンツの再生時間が、再生スケジュールの次に再生するコンテンツの再生開始予定時刻よりも短い場合には、コンテンツを複数回再生するので、コンテンツを構成する素材の再生時間の合計を気にすることなく、コンテンツを作成できる。
【００９７】
［スケジュール登録処理］
図８（Ｂ）に示すスケジュール登録画面４７は、コンテンツ作成画面４５おいて、作成・登録したコンテンツの再生スケジュールを登録するための画面である。スケジュール登録画面４７には、メニューバー５０、コンテンツ表示ウィンドウ４７１、コンテンツ削除ボタン４７２Ａ、ページ戻りボタン４７２Ｂ、ページ進みボタン４７２Ｃ、プレビューボタン４７２Ｄ、カレンダーウィンドウ４７３、日コピーボタン４７４Ａ、日ペーストボタン４７４Ｂ、日クリアボタン４７４Ｃ、月コピーボタン４７４Ｄ、月ペーストボタン４７４Ｅ、月クリアボタン４７４Ｆ、時間枠ウィンドウ４７５、及び登録ボタン４７６が表示される。
【００９８】
時間枠ウィンドウ４７５には、一例として、１時間毎に異なるコンテンツを再生できるように、１日が２４個に区分され、コンテンツの再生開始予定時刻が毎時０分に設定された時間枠が用意されている。コンテンツ編集再生装置３では、各再生開始予定時刻（時間枠）に１つのコンテンツを選択することができる。
【００９９】
カレンダーウィンドウ４７３には、月単位で日が表示される。なお、週単位や複数の月単位で日を表示することも可能である。
【０１００】
図９に示すように、制御部３３は、スケジュール登録画面４７において、コンテンツ記憶部３７３に記憶しているコンテンツのファイル名とサムネイルの一覧をコンテンツ表示ウィンドウ４７１に表示する（Ｓ８１）。制御部３３は、ページ戻りボタン４７２Ｂまたはページ進みボタン４７２Ｃを押下されると（Ｓ８２：Ｙ）、コンテンツ表示ウィンドウ４７１に表示するコンテンツを前のページまたは次のページのものに変更する（Ｓ８３）。
【０１０１】
制御部３３は、ページ戻りボタン４７２Ｂまたはページ進みボタン４７２Ｃが押下されなかった場合（Ｓ８２：Ｎ）、または別のページのコンテンツを表示した場合（Ｓ８３）には、ステップＳ８４の処理を行う。すなわち、制御部３３は、コンテンツ表示ウィンドウ４７１において、いずれかのコンテンツが選択されてから、コンテンツ削除ボタン４７２Ａが押下されると（Ｓ８４：Ｙ）、コンテンツ表示ウィンドウ４７１に表示されたコンテンツの一覧及びコンテンツ記憶部３７３から、選択されたコンテンツを削除する（Ｓ８５）。制御部３３は、コンテンツ削除ボタン４７２Ａが押下されない場合には（Ｓ８４：Ｎ）、ステップＳ８６の処理を行う。
【０１０２】
制御部３３は、カレンダーウィンドウ４７３において、月と日が選択されると（Ｓ８６：Ｙ）、選択された日のコンテンツの再生スケジュールを表示する。すなわち、制御部３３は、再生予定のコンテンツがある場合には、時間枠ウィンドウ４７５に予定されたコンテンツのファイル名とサムネイルを表示する（Ｓ８７）。一方、制御部３３は、カレンダーウィンドウ４７３において、月と日の選択が不要の場合には（Ｓ８６：Ｎ）、続いてステップＳ８８の処理を行う。
【０１０３】
制御部３３は、コンテンツ表示ウィンドウ４７１において、いずれかのコンテンツが選択されてから、プレビューボタン４７２Ｄが押下されると（Ｓ８８：Ｙ）、プレビュー処理を行う。すなわち、表示部３４の表示をコンテンツ作成画面から不図示のプレビュー画面に変更して、コンテンツを再生、表示する（Ｓ８９）。なお、プレビューウィンドウを表示するプレビュー画面には、メニューバー５０が表示されている。
【０１０４】
一方、制御部３３は、プレビューボタン４７２Ｄが押下されない場合には（Ｓ８８：Ｎ）、後述のステップＳ９０の処理を行う。
【０１０５】
制御部３３は、コンテンツ表示ウィンドウ４７１において、操作部３２により、図８（Ｂ）において矢印Ｂで示すように、いずれかのコンテンツが選択されて、ドラッグアンドドロップにより、時間枠ウィンドウ４７５のいずれかの時間枠にコンテンツがはめ込まれる（割り当てられる）と（Ｓ９０：Ｙ）、選択されたコンテンツのファイル名とサムネイルをその時間枠に表示する（Ｓ９１）。一方、制御部３３は、時間枠にコンテンツがはめ込まれない場合には（Ｓ９０：Ｎ）、ステップＳ９４の処理を行う。
【０１０６】
コンテンツ編集再生装置３では、ステップＳ９０の処理が繰り返されることで、１日の各時間枠において再生するコンテンツが設定される。
【０１０７】
なお、深夜などにコンテンツを再生しない時間を設ける場合には、再生スケジュールの時間枠にはめ込む（割り当てる）コンテンツの選択は不要である。
【０１０８】
制御部３３は、カレンダーウィンドウ４７３において月と日が選択されてから、日コピーボタン４７４Ａ、日ペーストボタン４７４Ｂ、日クリアボタン４７４Ｃ、月コピーボタン４７４Ｄ、月ペーストボタン４７４Ｅ、または月クリアボタン４７４Ｆが押下されると（Ｓ９２：Ｙ）、押下されたボタンに応じた処理を行う（Ｓ９３）。すなわち、制御部３３は、日コピーボタン４７４Ａ（月コピーボタン４７４Ｄ）が押下されると、その日（月）に再生するコンテンツのスケジュールをコピーする。続いて、制御部３３は、カレンダーウィンドウ４７３において別の日（月）が選択されてから、日ペーストボタン４７４Ｂ（月ペーストボタン４７４Ｅ）が押下されると、コピーしたコンテンツのスケジュールを選択された日のスケジュールとして貼り付け（ペースト）する。また、制御部３３は、カレンダーウィンドウ４７３において月と日が選択されてから、日クリアボタン４７４Ｃ（月クリアボタン４７４Ｆ）が押下されると、その日（月）に再生するコンテンツのスケジュールを消去（クリア）する。一方、制御部３３は、日コピーボタン４７４Ａなどが押下されない場合には（Ｓ９２：Ｎ）、ステップＳ９４の処理を行う。
【０１０９】
制御部３３は、登録ボタン４７６が押下されるまで（Ｓ９４：Ｎ）、ステップＳ８１以降の処理を繰り返す。この操作が繰り返されることで、選択した月におけるコンテンツの再生スケジュールを容易に作成できる。
【０１１０】
制御部３３は、登録ボタン４７６が押下されると（Ｓ９４：Ｙ）、その月のコンテンツの再生スケジュール（各コンテンツ群の再生開始予定時刻の情報）をスケジュール記憶部３７４に記憶させる（Ｓ９５）。なお、制御部３３は、スケジュール登録画面４７を表示部３４に表示している間は、時間枠ウィンドウ４７５に設定されたコンテンツの再生スケジュールを記憶している。したがって、日単位でコンテンツの再生スケジュールを登録しなくても、月単位でコンテンツの再生スケジュールを登録できる。
【０１１１】
制御部３３は、メニューバー５０のスケジュール登録ボタン５７以外のボタンが押下されなければ（Ｓ９６：Ｎ）、ステップＳ８１以降の処理を再度行う。また、制御部３３は、メニューバー５０のスケジュール登録ボタン５７以外のボタンが押下されると（Ｓ９６：Ｙ）、スケジュール登録処理を終了する。
【０１１２】
［再生処理］
制御部３３は、以上のようにしてコンテンツの再生スケジュールが設定されると、再生操作を受け付けることなく、記憶部３７のスケジュール記憶部３７４で記憶する再生スケジュール（コンテンツの再生開始予定時刻情報（コンテンツ群再生情報））に基づいて、コンテンツ記憶部３７３からコンテンツに関する各情報（コンテンツ群再生情報：コンテンツを構成する各素材の再生順、コンテンツの終了タイミング情報、静止画の表示時間情報、テロップの情報など）を読み出し、さらに、素材記憶部３７１から素材を読み出して、コンテンツを再生部３８に再生させる（再生を指示する）。再生部３８は、コンテンツのデータをモニタ１１〜１８と、スピーカ２１Ｌ，２１Ｒ〜２８Ｌ，２８Ｒに出力して、モニタにコンテンツの映像を表示させ、スピーカにコンテンツの音声を放音させる。
【０１１３】
図６（Ｂ）、図６（Ｃ）に基づいて説明したように、制御部３３は、コンテンツの作成時に、コンテンツの停止タイミング情報に基づいて、コンテンツを再生部３８に再生させる。また、前記のように、本発明では、コンテンツ毎に再生終了タイミング情報を設定できる。例えば、制御部３３は、再生終了タイミング情報がそれぞれ異なるコンテンツを連続的に再生するときには、図１０（Ａ）に示すように再生部３８に再生させる。
【０１１４】
図１０（Ａ）において、９時０分からはコンテンツＡ、１０時０分からはコンテンツＢ、１１時０分からはコンテンツＣ、及び１２時０分からはコンテンツＤが再生されるようにスケジュールが登録されている。コンテンツＡは、素材１〜素材３を備え、再生時間が２５分である。コンテンツＢは、素材４〜素材７を備え、再生時間が３５分である。コンテンツＣは、素材８〜素材１１を備え、再生時間が３０分である。コンテンツＤは、素材１１〜素材１３を備え、再生時間が３０分である。なお、８時０分から再生するコンテンツはコンテンツＡの再生開始予定時刻である９時０分に終了しているものとする。
【０１１５】
コンテンツＡは、終了タイミングが最終コンテンツ終了時に設定されている。コンテンツＢは、終了タイミングがコンテンツ終了時（１時間超過再生）に設定されている。コンテンツＣとコンテンツＤは、終了タイミングが、時間帯変更時（１時間再生）に設定されている。
【０１１６】
制御部３３は、コンテンツの再生時には、上記コンテンツの再生終了タイミングの情報をコンテンツ記憶部３７３から読み出す。
【０１１７】
制御部３３は、コンテンツの再生スケジュールに基づいて、再生部３８にコンテンツＡの再生を９時０分から開始させる。制御部３３は、９時５９分の時点で、コンテンツＡの素材２の３回目の再生中であるが、設定にしたがってコンテンツＡを終了まで（素材３の終了まで）再生部３８に再生させる。再生部３８は、コンテンツＡの再生を１０時１４分に終了する。
【０１１８】
続いて、制御部３３は、再生部３８にコンテンツＢの再生を１０時１５分から開始させる。制御部３３は、１０時５９分の時点で、再生部３８がコンテンツＢに含まれる素材６の２回目の再生中であるが、設定にしたがってコンテンツＢの素材６の終了まで再生させる。再生部３８は、コンテンツＢの再生を１１時０８分に終了する。
【０１１９】
続いて、制御部３３は、再生部３８にコンテンツＣの再生を１１時０８分から開始させる。制御部３３は、１１時５９分の時点で、再生部３８がコンテンツＣに含まれる素材１０の２回目の再生中であるが、設定にしたがってコンテンツＣの素材１０の途中で再生を終了させる。再生部３８は、コンテンツＣの再生を１１時５９分に終了する。
【０１２０】
続いて、制御部３３は、再生部３８にコンテンツＤの再生を１２時０分から開始させる。制御部３３は、１２時５９分の時点で、再生部３８がコンテンツＤの５回目の再生を終了するので、設定にしたがってコンテンツＤを終了まで再生させる。再生部３８は、コンテンツＤの再生を１２時５９分に終了する。
【０１２１】
このように、制御部３３は、再生スケジュールと、コンテンツの終了設定情報にしたがって、各時間枠に設定されたコンテンツを再生部３８に再生させる。これにより、本発明では、コンテンツを構成する素材の再生時間や、コンテンツの再生時間合計を気にすることなく、コンテンツの作成や再生スケジュールの作成を容易に行うことができ、従来のように再生スケジュールの煩雑な設定を行う必要がない。
【０１２２】
また、コンテンツ編集再生装置３では、制御部３３は、コンテンツの再生開始予定時刻において、別のコンテンツを再生中で、かつ、別のコンテンツに未再生の素材が含まれているときには、再生部３８に、この未再生の素材をすべて再生させた後に、再生開始予定であるコンテンツの再生を開始させる。図１０（Ｂ）に示すスケジュールでは、コンテンツＡの再生開始予定時刻を８時０分、コンテンツＢの再生開始予定時刻を９時０分に設定している。コンテンツＡは、素材１〜素材５により構成されている。コンテンツＡを８時０分から再生すると、コンテンツＢの再生開始予定時刻である９時０分には、素材４の再生中であり、素材の途中以降と素材５を未再生である。このような場合には、制御部３３は、未再生の素材である素材４と素材５を再生部３８に再生させてからコンテンツＢを再生させる。これにより、素材やコンテンツの再生時間を気にすることなくコンテンツを作成しても、未再生の素材の発生を防止できる。また、素材が再生されていないという広告主からの苦情を受けることがない。
【０１２３】
また、本発明では、図２（Ａ）、図３（Ａ）に基づいて説明したように、コンテンツを構成する素材毎に有効期限を予め設定できるので、コンテンツが有効期限の異なる複数の素材により構成されている場合、時期によりそのコンテンツの再生内容が異なる。以下、図１０（Ｃ）〜図１０（Ｈ）に一例を示す。
【０１２４】
図１０（Ｃ）に示すコンテンツ１は、４つの素材、すなわち、静止画Ａ、静止画Ｂ、動画Ｃ、及びアニメーションＤから構成されている。各素材に設定された再生期間は、静止画Ａが８月１０日〜８月１５日、静止画Ｂが８月１日〜８月１５日、動画Ｃが８月１０日〜８月３１日、及びアニメーションＤが８月１日〜８月３１日である。
【０１２５】
コンテンツ１の各素材の有効期限が上記のように設定されている場合、コンテンツ編集再生装置３はコンテンツ１を８月１日〜８月３１日において再生可能である。すなわち、図１０（Ｄ）に示すように、７月３１日まではいずれの素材も再生しない。図１０（Ｅ）に示すように、８月１日〜８月９日は、静止画ＢとアニメーションＤを再生する。図１０（Ｆ）に示すように、８月１０日〜８月１５日は静止画Ａ、静止画Ｂ、動画Ｃ、及びアニメーションＤを再生する。図１０（Ｇ）に示すように、８月１６日〜８月３１日は動画ＣとアニメーションＤを再生する。図１０（Ｈ）に示すように、９月１日以降はいずれの素材も再生しない。
【０１２６】
このように、素材の登録時に予め有効期限を設定しておくことで、コンテンツの有効期限を細かく管理する必要がなく、有効期限外にコンテンツが再生されるのを防止できる。
【０１２７】
次に、制御部３３は、テロップと同時に表示するように設定されているコンテンツの場合、再生部３８により、図１１（Ａ）に示すように、一例として、モニタ１１の表示画面１１１の下端にテロップ表示用の枠６０１を表示し、表示画面において、テロップ表示用の枠６０１以外の部分にコンテンツに設定されたコンテンツの静止画、動画、アニメーションの画像６１１を表示する。
【０１２８】
また、制御部３３は、単独で表示するように設定されているコンテンツの場合、再生部３８により、図１１（Ｂ）に示すように、モニタ１１の表示画面１１１全体にコンテンツ（静止画、動画、またはアニメーション）の画像６１２を表示する。
【０１２９】
［割り込み編集処理］
コンテンツ編集再生装置３では、コンテンツの再生中に割り込みを行って、緊急情報や調整中であることを示す情報をモニタ１１〜モニタ１８に表示することができる。緊急表示は、事故情報や災害情報など緊急性の高い情報を通知するための表示である。調整中表示は、トラブルが発生してモニタにコンテンツを表示できないことや、深夜などにコンテンツの再生を停止している旨を通知するための表示である。
【０１３０】
図１２（Ａ）に示す割り込み編集画面４８は、割り込み表示を行う際に表示する緊急表示や調整中表示の文章を編集するための画面である。割り込み編集画面４８には、編集する割り込み表示の種類を選択する選択ボタン４８１（警告表示ボタン４８１Ａ及び調整中ボタン４８１Ｂ）、選択された割り込み表示の種類を表示する種類表示ボタン４８２、割り込み表示入力ウィンドウ４８３（割り込み表示入力ウィンドウ４８３Ａ〜割り込み表示入力ウィンドウ４８３Ｊ）、ページ戻りボタン４８４Ａ、ページ進みボタン４８４Ｂ、及び登録ボタン４８５が表示される。
【０１３１】
コンテンツ編集再生装置３では、割り込み表示時には、登録内容を画面全体に表示するか、またはテロップとともに表示する。そのため、割り込み表示入力ウィンドウ４８３は、緊急表示や調整中表示の表示状態をイメージできるよう、複数行の文章を表示する枠サイズに調整されている。
【０１３２】
図１３（Ａ）に示すように、制御部３３は、割り込み編集画面４８の選択ボタン４８１（警告表示ボタン４８１Ａ及び調整中ボタン４８１Ｂ）が押下されるまで待機している（Ｓ１０１：Ｎ）。制御部３３は、選択ボタン４８１が押下されると（Ｓ１０１：Ｙ）、押下された選択ボタンに応じた割り込み表示の種類を種類表示ボタン４８２に表示し、登録済みの割り込み表示を割り込み情報記憶部３７５から読み出して、割り込み表示入力ウィンドウ４８３Ａ〜割り込み表示入力ウィンドウ４８３Ｊに表示する（Ｓ１０２）。すなわち、制御部３３は、押下された選択ボタン４８１が、警告表示ボタン４８１Ａのときには警告表示、調整中ボタン４８１Ｂのときには調整中の表示を表示する。
【０１３３】
制御部３３は、警告表示及び調整中の表示をページ単位で記憶している。制御部３３は、ページ戻りボタン４８４Ａまたはページ進みボタン４８４Ｂが押下された場合には（Ｓ１０３：Ｙ）、前のページまたは次のページに登録されている割り込み表示を割り込み表示入力ウィンドウ４８３Ａ〜割り込み表示入力ウィンドウ４８３Ｊに表示する（Ｓ１０４）。
【０１３４】
制御部３３は、割り込み表示が新たに入力されるか、登録済みの割り込み表示が削除されるまで、登録済みの割り込み表示を割り込み表示入力ウィンドウ４８３に表示した状態で待機している（ステップＳ１０２、ステップＳ１０３：Ｎ、ステップＳ１０５：Ｎ、ステップＳ１０６：Ｎ）。
【０１３５】
制御部３３は、空欄の割り込み表示入力ウィンドウ４８３に新たな割り込み表示が入力されるか、既に割り込み表示が入力されている割り込み表示入力ウィンドウ４８３に新たな割り込み表示が上書き入力されてから（Ｓ１０５：Ｙ）、登録ボタン４８５が押下されると（Ｓ１０７：Ｙ）、新たな割り込み表示を割り込み情報記憶部３７５に記憶する（Ｓ１０８）。
【０１３６】
また、制御部３３は、文字が入力されている割り込み表示入力ウィンドウ４８３の文字が削除されてから（Ｓ１０６：Ｙ）、登録ボタン４８５が押下されると（Ｓ１０７：Ｙ）、割り込み情報記憶部３７５から対応する割り込み表示を削除する（Ｓ１０８）。
【０１３７】
一方、制御部３３は、ステップＳ１０７において、登録ボタンが押下されなければ（Ｓ１０７：Ｎ）、ステップＳ１０２以降の処理を行う。
【０１３８】
制御部３３は、メニューバー５０の割り込み編集ボタン５９以外のボタンが押下されなければ（Ｓ１０９：Ｎ）、ステップＳ１０１以降の処理を再度行う。また、制御部３３は、メニューバー５０の割り込み編集ボタン５９以外のボタンが押下されると（Ｓ１０９：Ｙ）、割り込み表示編集処理を終了する。
【０１３９】
このように、コンテンツ編集再生装置３では、割り込み表示（緊急表示または調整中表示）を編集するときに、割り込み表示の種類毎に編集できるので、編集が容易であり、複数の表示内容の作成や登録を一度に行うことができる。また、割り込み表示入力ウィンドウ４８３が、複数行の文章を表示するように枠のサイズが調整されている。これにより、割り込み表示の表示状態を編集時に容易にイメージできる。
【０１４０】
［割り込み表示処理］
図１２（Ｂ）に示す割り込み表示画面４９は、割り込み表示の表示状態の調整と、割り込み表示の実行及び停止を行うための画面である。割り込み表示画面４９には、表示する割り込み表示の種類を選択する選択ボタン４９１（警告表示ボタン４９１Ａ及び調整中ボタン４９１Ｂ）、選択された割り込み表示ボタンに応じた割り込み表示の内容を表示する割り込み表示ウィンドウ４９２、選択された割り込み表示の文字色を選択する文字色選択ボタン４９３、割り込み表示の背景色を選択する背景色選択ボタン４９４表示するテロップを選択するテロップ選択ボタン４９５、選択された割り込み表示の内容を表示する表示ウィンドウ４９６、表示ウィンドウ４９６に割り込み表示を表示させる再生ボタン４９７、割り込み表示を実施する割り込み表示ボタン４９８、及び割り込み表示を中止する割り込み中止ボタン４９９が表示される。
【０１４１】
図１３（Ｂ）に示すように、制御部３３は、割り込み表示画面４９の選択ボタン４９１（警告表示ボタン４９１Ａ及び調整中ボタン４９１Ｂ）が押下されるまで待機している（Ｓ１１１：Ｎ）。制御部３３は、操作部３２により、選択ボタン４９１が押下されると（Ｓ１１１：Ｙ）、図１２（Ａ）に示した割り込み編集画面４８と同様のレイアウトの割り込み表示選択画面が表示される。この割り込み表示選択画面では、図８（Ａ）に示したテロップ選択画面４６と同様に、割り込み表示の文章が表示される各表示ウィンドウの左側にチェックウィンドウが設けられており、このチェックウィンドウのいずれかがチェックされて、表示ウィンドウが選択されると、選択された割り込み表示を、割り込み情報記憶部３７５から読み出して、割り込み表示ウィンドウ４９２に表示する（Ｓ１１２）。すなわち、制御部３３は、押下された選択ボタン４９１が、警告表示ボタン４９１Ａのときには警告表示、調整中ボタン４９１Ｂのときには調整中の表示を割り込み表示ウィンドウ４９２に表示する。
【０１４２】
制御部３３は、文字色選択ボタン４９３、背景色選択ボタン４９４（Ｓ１１３：Ｎ）、テロップ選択ボタン４９５（Ｓ１１５：Ｎ）、または再生ボタン（Ｓ１１８：Ｎ）が押下されるまで、選択された割り込み表示を、割り込み表示ウィンドウ４９２に表示する（Ｓ１１２）。
【０１４３】
制御部３３は、文字色選択ボタン４９３及び背景色選択ボタン４９４が押下されて、割り込み表示の文字色及び背景色が選択されると（Ｓ１１３：Ｙ）、それらの情報を割り込み記憶部３７５に記憶させる（Ｓ１１４）。
【０１４４】
制御部３３は、テロップ選択ボタン４９５が押下されると（Ｓ１１５：Ｙ）、図８（Ａ）に示したテロップ選択画面４６を表示部３４に表示する（Ｓ１１６）。続いて、ステップＳ１１７において、図７（Ｂ）に示したテロップ選択処理を行う。なお、制御部３３は、ステップＳ１１７においては、テロップ編集処理において作成された緊急テロップをテロップ選択画面４６のテロップ選択ウィンドウ４６４に表示する。
【０１４５】
制御部３３は、ステップＳ１１７のテロップ選択処理が終了してから、再生ボタン４９７が押下されるまでは、ステップＳ１１２〜Ｓ１１８の処理を行う。制御部３３は、再生ボタン４９７が押下されると（Ｓ１１８：Ｙ）、表示ウィンドウ４９６に割り込み表示の内容を表示する（Ｓ１１９、Ｓ１２０：Ｎ）。なお、制御部３３は、再生ボタン４９７が再度押下されると、表示ウィンドウ４９６に表示した割り込み表示を停止する。
【０１４６】
制御部３３は、割り込み表示ボタン４９８が押下されると（Ｓ１２０：Ｙ）、対応する割り込み表示を再生部３８に再生、出力させ、モニタ１１〜モニタ１８に表示させる（Ｓ１２１、Ｓ１２２：Ｎ）。
【０１４７】
また、制御部３３は、割り込み中止ボタン４９９が押下されると（Ｓ１２２：Ｙ）、再生部３８に割り込み表示の再生、出力を中止させて、モニタ１１〜モニタ１８に表示させていた割り込み表示を停止する（Ｓ１２３）。
【０１４８】
制御部３３は、メニューバー５０の割り込み表示ボタン５８以外のボタンが押下されなければ（Ｓ１２４：Ｎ）、ステップＳ１１１以降の処理を再度行う。また、制御部３３は、メニューバー５０の割り込み表示ボタン５８以外のボタンが押下されると（Ｓ１２４：Ｙ）、割り込み表示処理を終了する。
【０１４９】
制御部３３は、ステップＳ１２１において、図１４に示すような割り込み表示をモニタ１１〜モニタ１８に表示させる。緊急表示をテロップと同時に表示するように設定された場合、図１４（Ａ）に示すように、一例として、モニタ１１の表示画面１１１の下端にテロップ表示用の枠６０１を表示し、表示画面において、テロップ表示用の枠６０１以外の部分に緊急表示６１３の画像を表示する。このとき、表示画面１１１の周囲（枠）は点滅する。
【０１５０】
また、制御部３３は、単独で緊急表示を表示するように設定されている場合、図１４（Ｂ）に示すように、再生部３８により、モニタ１１の表示画面１１１全体に緊急表示６１３の画像を表示させる。このとき、表示画面１１１の周囲の枠６１５と、表示画面１１１に表示した感嘆符マーク６１６を点滅するように制御する。
【０１５１】
制御部３３は、調整中表示の場合も、図１４（Ｃ）、図１４（Ｄ）に示すように、緊急表示の場合と同様に、再生部３８により、モニタ１１〜モニタ１８に調整中表示６１４やテロップ表示用の枠６０１を再生部３８に表示させる。
【０１５２】
緊急表示や調整中表示は任意のタイミングで実行可能である。図１４（Ｅ）に示すように、８時から９時の時間枠にはコンテンツＡ、９時から１０時の時間枠にはコンテンツＢ、１０時から１１時の時間枠にはコンテンツＣ、１１時から１２時の時間枠にはコンテンツＤ、及び１２時から１３時の時間枠にはコンテンツＥが再生されるようにスケジュールが登録されている。
【０１５３】
図１４（Ｆ）に示すように、制御部３３は、再生部３８に８時０分からコンテンツＡを再生させて、モニタ１１〜モニタ１８に表示させる。制御部３３は、オペレータにより警告表示ボタン４９１Ａが押下されて警告表示が選択された後、８時３０分に割り込み表示ボタン４９８が押下されたことを検出すると、再生部３８により、警告表示をモニタ１１〜モニタ１８に表示させる。また、制御部３３は、９時２５分に割り込み中止ボタン４９９が押下されたことを検出すると、再生部３８により、スケジュールに登録されているコンテンツＢをモニタ１１〜モニタ１８に表示させる。
【０１５４】
同様に、図１４（Ｆ）に示すように、制御部３３は、再生部３８に１１時０分からコンテンツＤを再生させて、モニタ１１〜モニタ１８に表示させる。制御部３３は、オペレータにより調整中ボタン４９１Ｂが押下されて調整中表示が選択された後、１１時３５分に割り込み表示ボタン４９８が押下されたことを検出すると、再生部３８により調整中表示をモニタ１１〜モニタ１８に表示させる。また、制御部３３は、１２時２５分に割り込み中止ボタン４９９が押下されると、スケジュールに登録されているコンテンツＥをモニタ１１〜モニタ１８に表示させる。
【０１５５】
このように、コンテンツ編集再生装置３では、緊急表示や調整中表示は必要に応じて表示が可能である。これにより、緊急情報などをすぐに再生して、端末装置の視聴者に通知できる。
【０１５６】
なお、以上の説明では、コンテンツ編集再生装置３がモニタ１１〜モニタ１８、スピーカ２１Ｌ，２１Ｒ〜２８Ｌ，２８Ｒにコンテンツを表示させる構成であったが、以下のように構成することも可能である。例えば、サーバ２でコンテンツ編集再生プログラムを実行して、コンテンツ編集再生装置３を介してモニタ１１〜モニタ１８、スピーカ２１Ｌ，２１Ｒ〜２８Ｌ，２８Ｒにコンテンツを表示させるように構成することが可能である。この場合、コンテンツ編集再生装置３は、コンテンツ編集再生プログラムを実行することで、コンテンツデータの中継装置として機能する。
【０１５７】
また、上記のようにサーバ２でコンテンツ編集再生プログラムを実行し、コンテンツデータ及び再生スケジュールのデータを作成して、ＣＤやＤＶＤ等の光ディスクにこれらのデータを記録する。そして、この光ディスクのデータを、コンテンツ編集再生装置３のメディア記録再生部３６で読み出すようにすることもできる。この場合には、コンテンツ編集再生装置３でコンテンツの再生スケジュールなどを作成しなくてもよく、サーバ２により、複数のコンテンツ編集再生装置３用のコンテンツや再生スケジュールを一括して作成できる。したがって、コンテンツや再生スケジュールを効率よく作成できる。
【符号の説明】
【０１５８】
１…コンテンツ編集再生システム  ２…サーバ  ３…コンテンツ編集再生装置  １１〜１８…モニタ  ２１Ｌ，２１Ｒ〜２８Ｌ，２８Ｒ…スピーカ  ３１…通信部  ３２…操作部  ３３…制御部  ３４…表示部  ３５…入力インタフェース  ３６…メディア記録再生部  ３７…記憶部  ３８…再生部  ３９…出力インタフェース  ４２…素材登録画面  ４３…素材削除画面  ４４…テロップ編集画面  ４５…コンテンツ作成画面  ４６…テロップ選択画面  ４７…スケジュール登録画面  ４８…割り込み編集画面  ４９…割り込み表示画面  ５０…メニューバー
【図１】
0005684540.tif 000002
【図２】
0005684540.tif 000003
【図３】
0005684540.tif 000004
【図４】
0005684540.tif 000005
【図５】
0005684540.tif 000006
【図６】
0005684540.tif 000007
【図７】
0005684540.tif 000008
【図８】
0005684540.tif 000009
【図９】
0005684540.tif 000010
【図１０】
0005684540.tif 000011
【図１１】
0005684540.tif 000012
【図１２】
0005684540.tif 000013
【図１３】
0005684540.tif 000014
【図１４】
0005684540.tif 000015